(57)【要約】  本発明は、少なくとも１つのパネル状構造要素に開口が形成されると共に該開口はパネル状閉鎖カバーにより閉鎖され得る、特に壁部又は天井に対する、好適には空仕上げの建築構造における開口、特に点検用開口を閉鎖するデバイスに関する。開け易いのと同時に、好適には単純さ及びコスト効率を維持するデバイスを創造するために、本発明に係るデバイスは、第１のブラケット機構は、上記パネル状構造要素の開口縁部に対して移動不能に取付け可能であるべく形成され、且つ、第２のブラケット機構は、上記閉鎖カバーに対して取付け可能であるべく形成されると共に、上記第１のブラケット機構上に回動可能に連接結合され得る、少なくとも２つの相互に作用するブラケット機構を有している。
2020522632.tif 000002
【特許請求の範囲】
【請求項１】
少なくとも１つのパネル状構造要素に開口が形成されると共に該開口はパネル状閉鎖カバーにより閉鎖され得る、特に壁部又は天井に対する、好適には空仕上げの建築構造における開口、特に点検用開口を閉鎖するデバイスにおいて、
前記開口を閉鎖する該デバイスは、第１のブラケット機構（７）が、前記パネル状構造要素の開口縁部に対して移動不能に取付け可能であるべく形成され、且つ、第２のブラケット機構（４）が、前記閉鎖カバー（３）に対して取付け可能であるべく形成されると共に、前記第１のブラケット機構（７）上に回動可能に連接結合され得る、少なくとも２つの相互に作用するブラケット機構（４、７、８、９）を具備することを特徴とするデバイス。
【請求項２】
各々の場合において、前記閉鎖カバー（３）の相互に逆側に載置された縁部に対して割当てられ得る２対の第１のブラケット機構及び第２のブラケット機構（４、７）により特徴付けられる請求項１に記載のデバイス。
【請求項３】
前記第１のブラケット機構（７）に対する前記第２のブラケット機構（４）の回動可能配置のための前記第１ブラケット機構（４）上の回動用シャフトにより特徴付けられる請求項１及び２のいずれかに記載のデバイス。
【請求項４】
前記回動用シャフト、又は、回動用シャフトの一部が、前記第１のブラケット機構（７）の案内軌道内へと挿入可能である回動用突起（５）として形成されることを特徴とする請求項３に記載のデバイス。
【請求項５】
前記回動用突起（５）が、前記第２のブラケット機構（４）上に一体的に形成されることを特徴とする請求項４に記載のデバイス。
【請求項６】
前記案内軌道が前記第１のブラケット機構（７）上に一体的に形成されることを特徴とする請求項３又は４に記載のデバイス。
【請求項７】
前記案内軌道が案内溝（６）の形態であることを特徴とする請求項４乃至６のいずれか一項又は複数項に記載のデバイス。
【請求項８】
前記案内軌道が、ブラケット機構（７）が機能的状態に載置されたとき、該案内軌道が、その外形に関し、閉鎖されるべき前記開口（２）の表面法線の配向により占有される表面から偏位するように配向されることを特徴とする請求項４乃至７のいずれか一項に記載のデバイス。
【請求項９】
前記案内軌道の前記外形が、前記表面法線に関して直線状に傾斜して配向されることを特徴とする請求項８に記載のデバイス。
【請求項１０】
前記回動用突起（５）が、前記案内軌道内の最終位置において繋止され得ることを特徴とする請求項４乃至９のいずれか一項又は複数項に記載のデバイス。
【請求項１１】
前記閉鎖カバー（３）の中心線に関し、２つの第２のブラケット機構（４）の２つの回動用突起（５）が同軸的に配置可能であることを特徴とする請求項２及び４に記載されると共に、他の請求項の一項以上を伴う又は伴わないデバイス。
【請求項１２】
前記ブラケット機構（４、７、８、９）の少なくとも１つ、好適には全てのブラケット機構（４、７、８、９）が、プラスチックから製造されていることを特徴とする請求項１乃至１１のいずれか一項に記載のデバイス。
【請求項１３】
前記閉鎖カバー（３）の前記閉鎖位置を事前設定する少なくとも１つの閉塞設定要素により特徴付けられる請求項１乃至１１のいずれか一項又は複数項に記載のデバイス。
【請求項１４】
前記閉塞設定要素が、繋止及び／又は拘束要素（１９）の形態であるか、又は、それを有していることを特徴とする請求項１３に記載のデバイス。
【請求項１５】
前記閉塞設定要素に対しては専用のブラケット機構（８、９）が設けられることを特徴とする請求項１３及び１４のいずれかに記載のデバイス。
【請求項１６】
相互に対向して載置されるべく、前記構造要素と前記閉鎖カバー（３）とに対して割当てられると共に、機能的に相互に作用する、一対の２つのブラケット機構（８、９）が設けられることを特徴とする請求項１５に記載のデバイス。
【請求項１７】
前記ブラケット機構（４、７、８、９）の少なくとも１つ、好適には全てのブラケット機構（４、７、８、９）が、当該デバイスにおけるそれの取付けのために、少なくとも１つの摩擦係合及び／又は確定的係合要素、好適には締着用位置合せピン（１５）を有することを特徴とする請求項１乃至１６のいずれか一項に記載のデバイス。
【請求項１８】
前記ブラケット機構（４、７）の少なくとも一方は、好適には、一方が前記構造要素上での配置が意図され且つ一方が前記閉鎖カバー（３）上での配置が意図される少なくとも一対のブラケット機構（４、７）は、相互に角度付けされた当接表面（１３、１４）であって、一方の当接表面（１４）が後面側に対する当接のために配備され且つ他方の当接表面（１３）が隣接縁部に対する当接のために設けられる当接表面（１３、１４）を有することを特徴とする請求項１乃至１７のいずれか一項に記載のデバイス。
【請求項１９】
前記開口（２）を有する前記構造要素が、前記開口（２）を囲繞するフレーム（１）であって、一方では、パネル状構造要素の凹所内へと挿入可能であるか、パネル状構造要素に対して取付け可能であるフレーム（１）の形態であることを特徴とする請求項１乃至１８のいずれか一項に記載のデバイス。
【請求項２０】
前記フレーム（１）及び／又は前記閉鎖カバー（３）が、実質的に、空仕上げの建築パネル材の状態及び材料厚みを有することを特徴とする請求項１９に記載のデバイス。
【請求項２１】
前記ブラケット機構（４、７、８、９）が、組立てキットとして提供されることを特徴とする請求項１乃至２０のいずれか一項に記載のデバイス。
【請求項２２】
少なくとも１つのパネル状構造要素に開口が形成されると共に該開口はパネル状閉鎖カバーにより閉鎖され得る、特に壁部又は天井に対する、好適には空仕上げの建築構造における開口、特に点検用開口を閉鎖するデバイスのための組立てキット又は取付具キットであって、
該組立てキットの配備及び組立てのための、請求項１乃至２１のいずれか一項又は複数項に記載の少なくとも１つのブラケット機構（４、７、８、９）により特徴付けられる組立てキット又は取付具キット。
【請求項２３】
当該組立てキットは、３つの対のブラケット機構（４、７、８、９）であって、２つの対（４、７）が前記閉鎖カバー（３）の回動可能な連接結合のために配備され、且つ、１つの対（８、９）が前記閉鎖カバー（３）の閉鎖位置の固定のために設けられる３つの対のブラケット機構（４、７、８、９）を有していることを特徴とする請求項２２に記載の組立てキット。
【発明の詳細な説明】
【技術分野】
【０００１】
本発明は、少なくとも１つのパネル状構造要素に開口が形成されると共に該開口はパネル状閉鎖カバーにより閉鎖され得る、特に壁部又は天井に対する、好適には空仕上げ（ｄｒｙ）の建築構造における開口、特に点検用開口を閉鎖するデバイスに関する。
【背景技術】
【０００２】
特許文献１は、空仕上げの建築物に対する、特に天井に対する、閉鎖可能な点検用開口を開示している。其処で、パネル状構造要素に形成された上記開口は、該開口に関して実質的に一致する閉鎖カバーであって、パネル要素の形態である閉鎖カバーを填め込むことにより、非常に単純な様式で閉鎖される。
【先行技術文献】
【特許文献】
【０００３】
【特許文献１】欧州特許出願公開第２５３１６６９号
【発明の概要】
【発明が解決しようとする課題】
【０００４】
本発明は、冒頭において言及された汎用型のデバイスを、該デバイスが、特に、所望され得る壁部配置の場合においてさえも開くことが容易であり、その場合に該デバイスは好適には、その単純さ及びコスト効率を維持すべきであるように設計するという目的に基づく。
【課題を解決するための手段】
【０００５】
上記目的は、本発明により達成される、と言うのも、上記デバイスは、第１のブラケット機構は、上記パネル状構造要素の開口縁部に対して移動不能に取付け可能であるべく形成され、且つ、第２のブラケット機構は、上記閉鎖カバーに対して取付け可能であるべく形成されると共に、上記第１のブラケット機構上に回動可能に連接結合され得る、少なくとも２つの相互に作用するブラケット機構を有しているからである。
【０００６】
故に、本発明は、驚異的に簡素な様式にて、閉鎖カバーを、開口、特に点検用開口の縁部に対して回動可能に取付ける目的で一対のブラケット機構を提供する。各ブラケット機構は、取付具の様式で配備され得ると共に、基本的に、引用された先行技術からのデバイスが、本発明に係るブラケット機構により改造されることも可能である。
【０００７】
上記連接結合は、一種のヒンジにより実質的に実現され得、その場合、例えば、鉤爪状の開放ブッシュ又はスリーブなどにより周囲に係合された回動用シャフトにより、着脱可能な連接結合が実現され得る。但し、例えば、閉鎖されたスリーブが、角度付けされた突起上へと滑動されることも可能である。此処では、基本的に、第１及び第２のブラケット機構の単一の組み合わせが十分であり得る。
【０００８】
本発明に係るデバイスの進展例は、各々の場合において、上記閉鎖カバーの相互に逆側に載置された縁部に対して割当てられ得る２対の第１及び第２のブラケット機構が設けられることを実現する。このことは、特に本発明に係るデバイスの任意の設置位置において、上記閉鎖カバーの遙かに安定的である回動可能な連接結合に帰着する。
【０００９】
本発明によれば、上記回動用シャフトは、上記構造要素上、又は、上記閉鎖カバー上に配備され得る。好適実施形態は、上記第１ブラケット機構に対する上記第２ブラケット機構の回動可能な配置のために、上記の又は一本の回動用シャフトは、上記第２ブラケット機構上に、すなわち、上記閉鎖カバー上に配置されることを実現する。このことは特に、取付けられるべき、いずれの場合にも運動可能である上記閉鎖カバーが雄型の差込み構成要素を有するという事実により、設置プロセスを容易化し得る。例えば、上記縁部から径方向外方に突出する回動シャフト突起が、上記第１ブラケット機構における盲孔内へと挿入されることも可能である。
【００１０】
本発明の進展例は、上記回動用シャフト、又は、回動用シャフトの一部は、上記第１のブラケット機構の案内軌道内へと挿入可能である回動用突起として形成されることを実現する。この場合においても、上記回動用突起は、実質的に径方向に突出し得るが、盲孔内へと軸線方向には挿入されず、代わりに、該突起の自由端部を案内軌道内として、盲孔の軸線方向に関して横方向に挿入して載置される。此処で、上記回動用突起はまた、連続的な回動用シャフトの自由端部区画でもあり得るが、回動用シャフトの短寸部材としての個別的な回動用突起は、機能的に適切であると共に製造がさらに容易であり得る。特に、上記回動用突起は、第２ブラケット機構上に一体的に形成され得る。付加的又は代替的に、上記案内軌道は、上記第１ブラケット機構上に一体的に形成されることが可能である。上記案内軌道は好適には、案内溝の形態である。
【００１１】
このようにして、本発明によれば、各回動用突起は、簡素な設置プロセスにおいて、上記案内溝内へと、其処に閉鎖カバーを回動可能に配置する目的で挿入され得ることが特に簡素な様式で達成されるが、上記閉鎖カバーは逆に、同様に容易に、上記開口が完全に開かれて開放されるために、任意の時点にて取り外され得る。
【００１２】
本発明に係るデバイスの別の進展例は、本発明を進展させる様式で、上記案内軌道は、それらの外形に関し、閉鎖されるべき開口に対して直交する配向（表面法線）から偏位することを実現する。表面法線からの案内軌道のこの偏位の結果、上記閉鎖カバーは、特に偶発的に滑動するか滑り出すことを阻止するために、その終端又は回動位置に付加的に固定される。此処で、例えば、上記案内軌道は曲率を有し得る。但し、好適実施形態は、上記案内軌道の外形が、直線状に、且つ、フレーム平面に関して傾斜して配向されることを実現する。特に、壁部に取付けられている本発明に係るデバイスの場合、上記傾斜勾配は、下方に延在し得ることから、上記回動用突起が案内軌道内へと摺動して其処に留まることを重力が支援し得る。
【００１３】
上記回動用突起は、上記案内軌道内で最終位置において繋止され得ることも実現され得る。このことは特に、例えば、一定の弾性を有するプラスチックが材料として使用された場合、案内軌道内への当該回動用突起の経路上で狭窄部又は他の曲路を克服し、その後にそれの背後に自身が繋止される回動用突起により、特に容易に達成され得る。繋止球体などによるさらに幾分か複雑な繋止手段もまた、容易に使用され得る。故に、いずれにせよ、上記閉鎖カバーは、その終端の回動位置において付加的に固定されることが可能である。このことは特に、天井における上記デバイスの配置の場合に好適であり得るが、天井における配置の場合には、単に、表面法線からの案内軌道の偏位の存在及び性質が好都合であり得ることも実状である。
【００１４】
本発明の別の独立的な進展例は、上記回動用突起は、上記閉鎖カバーの中心線上に配置されることを特徴とする。
【００１５】
もし、回動用シャフトとして作用する上記回動用突起が、上記閉鎖カバー上の縁部の近傍に配置されるなら、上記閉鎖カバーは好適には、壁部配置の場合において、スペース内へと、又は、ユーザに向けて、上方に回動又は下方に回動され得るか、さもなければ、上記閉鎖カバーは、左側へと、又は、垂直な回動用シャフト配向の場合には、右側又は左側へと、回動して開かれ得る。独立的な保護が同様に権利請求される本発明の進展例において、上記閉鎖カバーは、自身に関して中心の回動ラインの回りを約１８０°の角度を通して回動され得ると共に、好適には、約９０°の角度の回動運動により開かれ得る。この目的のために、上記閉鎖カバーは好適には、それが重量に関して特に良好に平衡化されるために回動軸線に関して鏡面対称的な形態であり得るが、一定の理由によりその様に所望されるならば回動軸線に関して鏡面対称的な形態であることは必ずしも必要でなく、且つ、上記閉鎖カバーは、例えば三角形状も有し得、その場合に回動軸線は底辺に対して平行に延在する。同様の考察は、上記回動軸線は、必ずしも厳密に中心に配置される必要はなく、中心線に関して一定の平行オフセットも有し得るという具体例に繋がる。このことは、例えば、上記デバイスを囲繞する各表面が、上記閉鎖カバーに対する開き停止部を形成し得ると共に、上記閉鎖カバーは其処に保持又は固定もされ得る、という利点を有する。
【００１６】
基本的に、中心線上、又は、中心線の近傍における回動用シャフトを備える構造の場合、開き運動の間、各々の場合に、閉鎖カバーの１つの区画は外方に回動し、別の区画は内方に回動する。故に、回動軸線の配置に関し、上記デバイスの背後における回動運動に対する空間的状態、特に、利用可能な自由空間を考慮することが可能又は必要である。但し、いずれの場合にも、上記デバイスが壁部に配置されるなら、利点は、ユーザに向かい開く閉鎖カバーの区画が、基本的に選択的に、下方に回動若しくは上方に回動されるか、又は、左方若しくは右方へと回動され得るという事実に在る。このことはまた、天井における配置の場合にも有用であり得る。中心線の回り、又は、中心線の近傍のラインの回りにおける上記閉鎖カバーの回動性は、例えば、閉鎖された閉鎖カバーを開く取手又は他の手段は必要とされず、むしろ、閉鎖カバーは、それの一方の区画又は他方の区画を押圧することにより容易に開閉され得る、という利点も有する。閉鎖位置における繋止のために、例えば、戻り止め要素の弾性の故に、閉鎖カバーが、究極的に最終的な自身の端部位置であって、其処でそれが好適には面一様式で終結する最終位置へと弾発復帰するならば、例えば、閉鎖位置を僅かに越える回動運動も想起可能である。
【００１７】
各閉鎖部材は、例えば、金属、木材などのような、この目的に適した全ての可能的で想起可能な材料から製造され得る。但し、上記ブラケット機構の少なくとも一方、好適には両方のブラケット機構は、プラスチックから製造されることが好適である。故に、上記ブラケット機構は、一方の閉鎖部材上に特に容易に一体的に型成形されると共に、上記案内軌道は、好適には案内溝として形成されることが可能である。故に、本発明に係るデバイスは、低重量を有すべく、安定的であるべく、高信頼性であるべく、頑強であるべく、大きな単位量にて、標準化された様式で、容易に搬送可能であるべく、異なる色又は異なる装飾を以てなど、材料を節約する様式で、特に安価にも設計され得る。
【００１８】
同様に、最近のプラスチックによれば、特に、一種類のみのプラスチックが選択かつ使用されるなら、環境に適合した持続性を実現するために、再生利用が容易に可能である。
【００１９】
特に安定性のために、又は、歪曲の回避のために、各プラスチック部品は、例えば、補強部材、リブ、縦溝などを有し得る。視認可能な表面は、所望であれば、化粧張りされ、被覆され、例えば、クロムメッキもされ、塗装され、紙が張られ、飾り鋲が打たれ、粒状表面とされ、溝付きなどとされ得る。特に、空仕上げ建築物においては、例えば、孔のパターンによる断熱、又は、音響的減衰も関与し得る。本発明に係るデバイスは、この点においても、取入れられると共に、技術的及び／又は視覚的に一体化され得る。
【００２０】
本発明に係るデバイスによれば、所望に応じ、該デバイスは、美学的に強調されるか、又は、それが「視認不能」であるかの様に特に目立たないように設計され得ることが可能であり、一般的には後者の選択肢が好適である。
【００２１】
プラスチック材料としては、多様なプラスチック、特に、アクリロニトリル・ブタジエン・スチレン共重合体（ＡＢＳプラスチック）、又は、他の熱可塑性材料及び／又はスチレン共重合体が使用され得る。斯かるプラスチックは特に、塗料で被覆されると共に、接着剤で結合され得る。本発明によれば、空仕上げの建築部材に対するプラスチック部品の接続のために、接着剤、及び、付加的な機械的締結具が使用されることが好適である。機械的締結具に対しては、ステープル、クリップ、捲縮、クランプ、ピン、リベットなどが使用され得る。例えば、接着面積を拡大するために、縦溝なども配備され得る。例えば、締着要素として、釘よりもステープル又はクランプが好適である、と言うのも、それらは、ヘッド状に大寸化された部分に関し、例えば石膏成分を備えた空仕上げ建築材料内へと容易に貫通することにより足掛かりを喪失することが無い当接ブリッジを形成するからである。
【００２２】
本発明に係るデバイスのさらなる進展例は、上記閉鎖カバーの閉鎖位置を事前定義する少なくとも１つの閉塞設定要素が設けられることを特徴とする。この目的のためには、多様な方策及び実施形態が可能である。１つの好適実施形態は、上記閉塞設定要素は、摩擦係合要素の形態であり、又は、それを有していることを実現する。機能及び製造の両方に関して特に単純な様式にて、本発明に係る斯かる摩擦係合要素は、閉鎖位置の位置決めを確定するだけでなく、閉鎖位置における固定の実現も支援する。プラスチックから形成されるデバイスの場合、相互に作用すべく、例えば、柱材、粒状表面、縦溝などを以て、又は、単に一定の摩擦係数を有する面積的摩擦を以て、例えば、上記構造要素上のブラケット機構上、及び、上記閉鎖カバー上のブラケット機構上には、機能的に相互作用する摩擦表面が形成され得る。摩擦的に係合する各要素は、例えば、上記回動用突起の近傍に配備され得る。
【００２３】
例えば、同一的又は異なる形態の複数対で、複数の閉塞設定要素が設けられることは容易に可能である。これらは、開口の自由縁部に、且つ／又は、回動用突起側の縁部に配置され得る。此処で、上記閉塞設定要素、又は、１つ以上の閉塞設定要素は、１つの停止要素又は複数の停止要素であり得るか、それを有し得る。上記の又は少なくとも１つの閉塞設定要素は、繋止又は拘束要素の形態であるか、それを有していることが付加的又は代替的に実現され得る。このことは、例えば、弾性嵌合作用、繋止又は戻り止めの要素により実現され得る。例えば、突起の繋止のために断面が狭幅化された受容器又は案内部を備えた弾性プラスチックを使用して、特に単純であるが確実な弾性嵌合作用要素が実現され得る。例えば、閉鎖枠体上のスプリング舌部が、同時に、閉鎖枠体開口内へと突出する停止要素として作用すると共に、該スプリング舌部は、そのスプリング端部の可逆的な繋止のために、閉鎖カバー上にて該スプリング舌部と機能的に相互作用する閉塞要素の一種のチャネル内に繋止することが可能である。摺動又は枢動するボルト又はラッチが設けられることも容易に可能である。
【００２４】
本発明によれば、上記閉塞設定要素に対しては、専用のブラケット機構、好適には一対の２つのブラケット機構であって、相互に対向すべく載置されるべく、上記構造要素と上記閉鎖カバーとに対して割当てられると共に、機能的に相互に作用する２つのブラケット機構が設けられることが好適に実現される。故に、各ブラケット機構は、上記回動用突起に対するブラケット機構に関し、別体的に設けられる。特に、上記閉鎖カバーの中心線上の２本の回動用突起が、協働して回動用シャフトを形成すると共に、上記閉鎖カバーの２つの逆側の縁部に配置されるなら、上記閉鎖カバーを閉鎖する各ブラケット機構、すなわち、特に、停止及び／又は拘束及び／又は繋止要素は、上記閉鎖カバーの第３の側部に対して割当てられ得る。
【００２５】
本発明の別の進展例は、上記ブラケット機構の少なくとも１つ、好適には全てのブラケット機構は、上記デバイスにおけるそれの取付けのために、少なくとも１つの摩擦係合及び／又は確定的係合要素、好適には締着用位置合せピンを有することを特徴とする。
【００２６】
上記ブラケット機構は、例えばプラスターボードである上記パネル状要素に対して締着可能である取付具の様式で提供され得る。本発明に係る進展例において、上記ブラケット機構は好適には、夫々のパネル状要素における盲孔内にホゾ継ぎされ得る。代替的又は付加的に、ネジ、釘、クランプ、又は、接着剤などのような他の締着手段が使用され得る。斯かる締着用位置合せピン、又は、他の一定の摩擦係合及び／又は確定的係合要素は、特にプラスチックから、上記ブラケット機構上に一体的に型成形され得る。
【００２７】
本発明の別の進展例は、上記ブラケット機構の少なくとも一方は、好適には、一方は上記構造要素上での配置が意図され且つ一方は上記閉鎖カバー上での配置が意図される少なくとも一対のブラケット機構は、相互に角度付けされた当接表面であって、一方の当接表面は後面側に対する当接のために配備され且つ他方の当接表面は隣接縁部に対する当接のために設けられる当接表面を有することを実現する。このようにして、上記ブラケット機構は、一方のパネル状要素の縁部領域の回りに、実質的にＬ形状様式で係合して埋設され得る。同時に、上記ブラケット機構の材料は、各パネル状要素間の閉鎖間隙において殆ど見えない。上記ブラケット機構は、好適には卓状部の様式で形成され得ると共に、例えば、回動用突起は上記形式の卓状部上に担持されて安定的に支持されることが可能である。
【００２８】
本発明に係るデバイスの別の進展例は、上記開口を有する上記構造要素は、上記開口を囲繞するフレームであって、一方では、パネル状構造要素の凹所又は切欠き内へと挿入可能であるか、パネル状構造要素に対して取付け可能であるフレームの形態であることを特徴とする。
【００２９】
故に、本発明によれば、自身のフレーム及び閉鎖カバーを備えた十分に機能する点検用開口が工場にて製造され、該点検用開口は単に、建築現場における空仕上げの建築構造内へと適切に挿入されることが特に好適に実現される。一方、上記デバイスのこの適切な挿入は、上記フレームに対する材料が、実質的に、該フレームが挿入されることが意図されるパネル状構造要素の材料に対応するならば、相当に簡素化され得る。故に、点検用開口は、その閉鎖カバーと共にそれ自体で建築現場にて調製される必要はなく、むしろ、その他の箇所で既に専門的に調製されたデバイスのフレームを挿入する単純な切欠きが設けられることのみが必要である。しかし、このことは、建築現場にて、特に未熟な人員によっても容易に可能である、と言うのも、斯かる作業段階は、その本質において、空仕上げ構造の建築の間における他の作業段階とは異ならないからである。
【００３０】
本発明に係るデバイスの別の進展例は、上記フレーム及び／又は上記閉鎖カバーは、実質的に、空仕上げの建築パネル材の状態及び材料厚みを有することを特徴とする。上記フレーム及び／又は上記閉鎖カバーに対する材料は、好適には、実質的に石膏であり得る。このようにして、本発明に係るデバイスは、特に好適に、それが、実質的に同一又は同様の材料を使用する空仕上げの建築構造内へと、目立たず、関連的であり、面一で継目無しでもある様式で一体化され得るように、設計され得る。
【００３１】
特に、本発明のさらなる進展例は、上記フレームは、パネル状の構造要素の下位領域又は一区画から製造されることを特徴とする。既に上記で論じられたように、本発明に係るデバイスのこの特に好適な進展例は、好適には、パネル状構造要素におけるフレームに対して不正確に実施される可能性がある、開口の面倒な鋸引き又は他の切り出しなしで、すなわち、特に自由な様式で通常の建築方法を用いてさえも、上記デバイスは建築現場において空仕上げの建築構造へと嵌合され得る、という効果を有する。（閉鎖カバー、及び、点検用開口自体と共に）本発明に従い事前作製されたフレームは、構造要素の一区画として提供されることのみが必要なので、別の構造要素に対して従来様式で接続されると共に、好適には仕上げられることのみが必要である。
【００３２】
上記にて既にさらに論じられたように、天井配置に対して提供された本発明に係るデバイスの場合においてさえ、例えば、案内軌道の設計態様により、閉鎖カバーのための別体的な捕捉手段が不要とされ得る。しかし、それでもなお、本発明の進展例においては、開かれたときに閉鎖カバーが制御不能な様式で落下することを阻止するために、閉鎖カバーを捕捉する少なくとも１つの捕捉要素が設けられることが付加的又は代替的に可能である。この目的のために、ケーブル、クリップ、スプリング、案内レール、連接結合され且つ／又は伸縮自在に接続されたロッドなどが使用され得る。
【００３３】
本発明に係るデバイスのさらなる進展例は、上記ブラケット機構は、組立てキットとして提供されることを特徴とする。好適には、点検用開口と、該点検用開口に嵌合する閉鎖カバーとを備えたフレームに対する、本発明に係るデバイスは、建築現場において困難な作業段階が実施される必要性を排除するために、且つ、点検フラップに対する管理品質を確実にするために、工場にて、工業的で機能的に高信頼性の様式で事前作製して提供され得る。このように事前作製された上記デバイスは、その後（好適には、同様に既に工場にて）本発明に従い好適に提供された組立てキットを用いて各ブラケット機構に対して装着され、且つ、空仕上げの建築構造内には、特に所望に応じて目立たないように、別様の通常の作業段階を用いて簡素で安価な様式で挿入され得る。
【００３４】
上記組立てキットは、好適には、２つの対は上記閉鎖カバーの回動可能な連接結合のために配備され、且つ、１つの対は上記閉鎖カバーの閉鎖位置の固定のために設けられる３つの対のブラケット機構を有している。
【００３５】
少なくとも１つのパネル状構造要素に開口が形成されると共に該開口はパネル状閉鎖カバーにより閉鎖され得る、特に壁部又は天井に対する、好適には空仕上げの建築構造における開口、特に点検用開口を閉鎖するデバイスのための組立てキット又は装着キットであって、該組立てキットの配備及び組立てのための、本発明に係る少なくとも１つのブラケット機構により特徴付けられる、本発明に係る組立てキット又は装着キットに対しても、独立的な保護が権利請求される。上記形式の組立てキットは、基本的に、改造目的でも提供され得る。
【００３６】
各図は、さらなる発明特徴も判明し得る代表的実施形態を示すが、各実施形態は、基本的に、単なる実例であるとみなされるべきであり、且つ、本発明の主題又はその保護の有効範囲を限定することは意図されない。
【図面の簡単な説明】
【００３７】
【図１】本発明に係る代表的実施形態の平面図である。
【図２】図１に係るデバイスのための回動用突起を有する本発明に係るブラケット機構の斜視図である。
【図３】図２に係る回動用突起のための案内溝を有する本発明に係るブラケット機構の斜視図である。
【図４】図１に係るデバイスの閉鎖カバーを閉鎖位置に繋止するための繋止スプリング舌部を有する本発明に係るブラケット機構の斜視図である。
【図５】図４に係る繋止スプリング舌部のための受容器を有する本発明に係るブラケット機構の斜視図である。
【発明を実施するための形態】
【００３８】
図１は、本発明に係るデバイスの代表的実施形態、特にその前面側ではなく、その後面側の平面図を示している。
【００３９】
点検用開口を閉鎖する本発明に係るデバイスは、点検用開口２を縁取るフレーム１を有していると共に、点検用開口２を閉鎖する閉鎖カバー３を有している。
【００４０】
閉鎖カバー３は、４種の異なる形式のブラケット機構により、フレーム１に対して接続される。
【００４１】
先ず、閉鎖カバー３上には、各々の場合において、該閉鎖カバー３から外方に突出する一本の回動用突起５を有する複数のブラケット機構４が配置される。各ブラケット機構４は対として配備され、その夫々のブラケット機構４は、閉鎖カバー３の相互に対向する縁部に配置される。各回動用突起５は、相互に整列されると共に、閉鎖カバー３の仮想的な各中心線の一方に沿う該閉鎖カバーのための回動用シャフトを協働して形成する。
【００４２】
そのシャフト取付けのために、各回動用突起５は、夫々のブラケット機構７の案内溝６内に挿入される。各ブラケット機構７もまた対として設けられると共に、夫々、ブラケット機構４に対向すべくフレーム１上に配置される。
【００４３】
図１に示された閉鎖カバー３の閉鎖位置にそれを繋止するために、閉鎖カバー３の第３の縁部には、繋止機構が配置される。該繋止機構は、２つのさらなるブラケット機構８及び９で構成される。ブラケット機構８は、ブラケット機構９の繋止受容器１１内に繋止され得る繋止スプリング舌部１０を有する。
【００４４】
ブラケット機構８及び９を例に取ると、１つの箇所において、締着用位置合せピンは小寸円１２として示され、さもなければ、各締着用位置合せピンは、図１においては視認可能でない様式で、夫々のブラケット機構８、９の確定的な係合及び摩擦的な係合による締着のために、図面の平面内へと下方に向けて、フレーム１及び閉鎖カバー３の適切な盲孔内へと挿入される。他のブラケット機構４、７は各々、対応する締着用位置合せピンを有する。
【００４５】
ブラケット機構４、７、８、９は、好適には、プラスチックから一体片へと型成形される。
【００４６】
さらなる詳細及び特徴は、同一の構造要素が図１におけるのと同一の参照符号により表される以下の各図中に示される。
【００４７】
図２は、自身の回動用突起５を備えたブラケット機構４の斜視図を示している。
【００４８】
ブラケット機構４は、図２において視認可能である当接表面１４により、図１における図示内容に従い閉鎖カバー３上へと載置され得る基部プレート１３を有する。この目的のために、各締着用位置合せピン１５は、当接表面１４が閉鎖カバー３に当接し且つブラケット機構４が閉鎖カバー３に対して固定的に締着されるまで、閉鎖カバー３の盲孔内へと押圧される。締着用位置合せピン１５は、盲孔内の摩擦係合作用を増進する囲繞外形部１６であって、例えば、逆棘効果のために鱗片の様式で形成され得る囲繞外形部１６を有する。上記締着は、接着剤及び／又は機械的締着手段により保証され得る。
【００４９】
基部プレート１３からは、回動用突起５を担持する卓状部１７が突出する。基部プレート１４は、卓状部１７と協働して、閉鎖カバー３の縁部に係合し、又は、その回りに緊密に位置し得る実質的にＬ形状の外形を形成する。但し、卓状部１７は、閉鎖カバー３の縁部における適切な凹所内に、確定的な係合様式でさらに係合し得る側腹部１８を有する。
【００５０】
図３は、図２に係る回動用突起５のための案内溝６を有する本発明に係るブラケット機構７の斜視図を示している。
【００５１】
案内溝６は、卓状部１７内に、一体化され、且つ、一体的に型成形される。案内溝６は、基部プレート１３に関して傾斜して延在することが理解され得る。図１の図示内容において、上記案内溝は好適には、夫々に案内された回動用突起５が、閉鎖カバー３の重力下で、該案内溝６内へと、可及的にその端部まで奥深く滑り込むように、図面の平面内へと傾斜して下方に延在する。その端部の以前において、案内溝６は、狭幅化され得るか、又は、該案内溝は、一定の力の付与により回動用突起５が当該曲路の背後に付加的に繋止され得る他の一定の曲路を有し得る。
【００５２】
その当接表面１４を備えた基部プレート１３、その側腹部１８を備えたブラケット１３、及び、その外形部１６を備えた締着用位置合せピン１５は、ブラケット機構４の場合におけるものと同様に利用されるが、ブラケット機構７が閉鎖カバー３ではなくフレーム１に対して締着されることのみは除かれる。
【００５３】
図４は、図１に係るデバイスの閉鎖カバー３を閉鎖位置に繋止するための繋止スプリング舌部１０を有する本発明に係るブラケット機構８の斜視図を示している。
【００５４】
さらに、ブラケット機構８もまた、閉鎖カバー３に対する当接表面１４と、外形部１６を備えた締着用位置合せピン１５とを備えた基部プレート１３を有する。
【００５５】
基部プレート１３上には、プラスチック材料が使用された場合、材料特性とその寸法とにより弾性的な性質を以て形成され得る繋止スプリング舌部１０が配置される。繋止スプリング舌部１０の端部は、繋止要素１９自体として形成される。折返し部２０により、上記繋止要素は、２つの繋止脚部２１及び２２を備えた二重層のＵ状形態である。脚部２１及び２２が、（例えば、単に手の親指と人差し指との間で、又は、例えば、ネジ回しの平坦頭部のような工具を用い、又は、小寸のプライヤを用いて）相互に接近させて押圧され得ると共に、該脚部が、圧力の付与が解消された後に、相互に対して比較的に大きな間隔を以て図４に示された静止位置へと逆に弾発復帰し得るように、繋止要素１９もまた本来的に弾性形態である。繋止脚部２２の外側部上には、繋止スプリング舌部１０の外形に関して横方向に延在する厚寸玉縁又は隆起部２３が配置される。
【００５６】
繋止及び繋止解除プロセスが機能的項目においてさらに詳細に論じられる前に、図５が先ず論じられる。
【００５７】
図５における斜視図に示されたブラケット機構９もまた、先ず、フレーム１に対する当接表面１４と、外形部１６を備えた締着用位置合せピン１５とを備えた基部プレート１３を有する。
【００５８】
但し、さらに、ブラケット機構９は、図５における代表的実施形態において、単に基部プレート１３内へと形成されたスロット２４として形成された繋止受容器１１も有する。この代表的実施形態において、繋止動作に対しては、スロット２４に隣接して留まる基部プレート材料で構成された残存帯状体２５が必須である。
【００５９】
次に、図４及び図５に基づき、繋止及び繋止解除プロセスがさらに詳細に論じられ得る。
【００６０】
閉鎖カバー３を閉鎖する間、すなわち、閉鎖カバー３が図１に示された閉鎖位置へと載置されるとき、繋止要素１９は、隆起部２３が残存帯状体２５の背後に係合することから閉鎖カバー３を閉鎖位置に繋止するまで、スロット２４内へと最終的に押圧される。この目的のために、繋止脚部２１、２２が付加的に相互に押圧されることは必要でない。むしろ、このことは、繋止要素１９がスロット２４内へと十分に深く押圧されたとき、折返し部２０から相互に向けて円錐的に延在するＶ形状すなわち繋止脚部２１、２２と、それらの材料の弾性特性とにより、自動的に生ずる。
【００６１】
繋止解除動作のみに対しては、隆起部２３が残存帯状体２５から再び解放され、且つ、繋止要素１９は全体として上記スロットから再び完全に引き抜かれる結果として閉鎖カバー３が回動して開放され得るまで、繋止脚部２１、２２が一体的に上述の様式で押圧されるべきである。
【００６２】
念のため、フレーム１は、スロット２４の下方に、閉鎖位置において繋止要素１９を受容するための凹所又は他の一定の自由空間を必要とすることも付け加えられ得る。スロット２４は、フレーム１の内側縁部を越えて、すなわち、点検用開口２内へと延在することも然るべく可能であるが、その場合に、このことは、閉鎖位置において閉鎖カバー３とフレーム１との間における好ましくない大きな間隙間隔に帰着する。但し、他の繋止又は拘束手段もまた、容易に想起可能である。例えば、フレーム１上には、閉鎖カバー３の閉鎖位置において該閉鎖カバー３の縁部を越えて捕捉受容器内へと枢動する枢動捕捉部が設けられることが可能である。但し、示された代表的実施形態において、閉鎖カバー３は、特に容易に押圧されて閉鎖されるのと同時に、自動的に繋止され得る。
【図１】
2020522632.tif 000003
【図２】
2020522632.tif 000004
【図３】
2020522632.tif 000005
【図４】
2020522632.tif 000006
【図５】
2020522632.tif 000007
【国際調査報告】
2020522632.tif 000008
2020522632.tif 000009